(57)【要約】【課題】混合物収納部をキャップの内部に設けて、混合時には、キャップを取外さないで定位置に上昇するまで廻動させるだけで、混合物収納部の蓋体を開いて収納された混合物を落下させ、容器内の内容物を混合させるようにした操作性の優れた混合収納容器を提供すること。【解決手段】内容液を収容した容器と、容器口筒部に被嵌され、内部を混合物収納部とした内筒を垂設したキャップと、口筒部上端に嵌着され、前記内筒下端を密封する栓蓋を切断可能な連結部を介して連設した中栓とを備えていることを特徴とする。【選択図】    図３
2004323097.tif 000002
【特許請求の範囲】
【請求項１】
内容液を収容した容器と、
容器口筒部に被嵌され、内部を混合物収納部とした内筒を垂設したキャップと、
口筒部上端に嵌着され、前記内筒下端を密封する栓蓋を切断可能な連結部を介して連設した中栓とを備えていることを特徴とする混合物収納部を設けた混合容器。
【発明の詳細な説明】
【０００１】
【発明の属する技術分野】
本発明は、混合物収納部を設けた混合容器、とくに粉末状、顆粒状、または液状等を収納する混合物収納部を具え、使用時に容器内の液中に混合するようにした混合容器に関する。
【０００２】
【従来の技術】
混合物収納部を設け、使用前に混合物を内容液中に混合するようにした混合容器は、従来より知られている（例えば、特許文献１参照。）。
【０００３】
上記の混合容器は、二種収納物混合容器として、第１種収納物を収納する第１容器体（１）と、該第１容器体（１）の口筒部に螺着される周壁（１２）と内向きのフランジ（１３）とから形成されるキャップに、キャップの頂壁（フランジ１３が相当）を貫通するように連設した第２種収納物を収納する第２容器体（１０）とを備え、第２容器体（１０）の下部を、下端に厚肉部（２０）と薄肉部（２１）とを設けた筒体と、係合板（１９）を設けた底板（１８）とからなる閉塞筒（１５）で密封し、使用にあたってキャップを開蓋することにより、係合板（１９）を口筒部下端の段部（３）に当接させて底板（１８）を開き、第２種混合物を第１種混合物に混合させるようにしている。
【０００４】
【特許文献１】
特開１０−３２９８７４号公報
【０００５】
【発明が解決しようとする課題】
しかしながら、上記公報記載の混合容器は、混合物の混合時に、すべての混合物を落下させるためには、底板を一定角度まで傾斜させなければならず、底板の係合板が口筒部下端の段部に係合しているので、キャップの螺合を解いて、さらに上方に持ち上げなければならないという問題があった。
また、係合板を口筒部下端の段部に係合させるためには、混合物を入れた第２容器体が小径となり、第２容器体の頭部がキャップの頂壁上方に突出するので、デザイン上の制約が生じるという問題があった。
【０００６】
本発明は、上記問題を解決することを課題として、混合物収納部をキャップの内部に設けて、混合時には、キャップを取外さないで定位置に上昇するまで廻動させるだけで、混合物収納部の蓋体を開いて収納された混合物を落下させ、容器内の内容物を混合させるようにした操作性の優れた混合収納容器を提供することを目的とする。
【０００７】
【課題を解決するための手段】
本発明は、上記の課題を解決するため、混合物収納部を設けた混合容器として、内容液を収容した容器と、容器口筒部に被嵌され、内部を混合物収納部とした内筒を垂設したキャップと、口筒部上端に嵌着され、前記内筒下端を密封する栓蓋を切断可能な連結部を介して連設した中栓とを備えていることを特徴とする構成を採用する。
【０００８】
【発明の実施の形態】
次に、本発明の実施形態について、図面を参照して説明する。
図１において、Ａは内容液を収納する容器、Ｂは中栓、Ｃは混合物収納部を具備したキャップである。
【０００９】
容器Ａは、口筒部１と肩部、胴部２と底部３からなっており、口筒部１は、上端に係止環４を設けた縮径部５とねじ筒部６とを具えている。
ねじ筒部６外周には、ねじ７が螺設されており、その下方では、環状溝８が設けられている。
胴部２は、円形、または楕円状、角部を円弧とした角形状等であり、底部３は、接地端９と平底板１０とからなっている。
【００１０】
中栓Ｂは、中栓本体Ｂ１と、中栓本体Ｂ１に連設された混合物収納部の栓蓋Ｂ２とからなっている。
中栓本体Ｂ１は、外筒１１と上壁１２、内筒１３とからなり、外筒１１の下端には、口筒部１の係止環４に係合する係合環１４が設けられている。
内筒１３の上方部は、口筒部１の内周に係合し、容器Ａ内部を密封する嵌合部１５となっており、内筒１３の下端には、栓蓋Ｂ２を連設するための複数の切断可能な連結片１６、または切断可能な薄肉部が設けられている。
【００１１】
栓蓋Ｂ２は、蓋板１７と嵌合筒１８からなっており、蓋板１７の外周は、前記連結片１６を介して中栓本体Ｂ１と接続されている。
嵌合筒１８は、蓋板１７の外周より一定距離離れた内側に立設されており、嵌合筒１８の外周面には、上下に複数の膨出環１９が設けられている。
【００１２】
キャップＣは、頂壁２０と、頂壁２０の外周に垂設された外筒２１と、その内側に垂設された内筒２２とからなっており、外筒２１の内周には、口筒部１のねじ７に螺合するねじ２３が刻設されている。
内筒２２の内部は、混合物収納部２４となっており、混合物が収納された後に栓蓋Ｂ２によって密封される。
内筒２２の下端内周には、膨出環２５が設けられている。
【００１３】
次に、本混合容器の使用態様と作用効果について説明する。
本混合容器は、化粧料、薬品等の二種混合物の混合、甘味料等の飲料液への混合などに利用される。
容器Ａ内には、内容物として液体、または粘性液が入れられるが、その他にも粉末状、顆粒状等の固形物を収納しておいてもよい。
また、混合物収納部２４には、粉末状、顆粒状その他の固形物、または液体等が収納される。
【００１４】
内容物の収納にあたっては、図２に示すように、頂壁２０を下にして倒立したキャップＣの内筒２２内に混合物を入れ、中栓本体Ｂ１を外筒２１と内筒２２との間に挿入し、栓蓋Ｂ２の嵌合筒１８を内筒２２に嵌挿し、膨出環１９と膨出環２５とを係合させると、栓蓋Ｂ２によって混合物を収納した内筒２２が密封され、混合物収納部２４が形成される。
【００１５】
次いで、混合物を収納したキャップＣを、頂壁２０を上にして内容物を収納した容器Ａの口筒部１に螺合させ、キャップＣを廻動させていくと、定位置で連結片１６は切断される。
さらに廻動させると、キャップＣの頂壁２０が、中栓本体Ｂ１の上壁１２上面に接合して、キャップＣの廻動とともに中栓Ｂを押下げ、中栓本体Ｂ１の外筒１１を口筒部１上端の縮径部５に嵌挿させ、最終の締着位置では、図３に示すように、係合環１４が口筒部１の係止環４の下側に係止され、中栓Ｂが口筒部１に嵌着される。
【００１６】
混合容器の使用時には、キャップＣを廻動し、上昇させると、蓋板１７の周縁部１７ａが、中栓本体Ｂ１の内筒１３の下端に接合して、さらに廻動していくと、図４に示すように、栓蓋Ｂ２がキャップＣ内筒２２から外れて落下し、混合物を内容液に混合させる。
次いで、容器Ａを振ると、混合物を均等に混合させることができる。
【００１７】
混合液を使う場合には、キャップＣを取外して、内容液を注出することができる。
注出後に残った液をしまっておく場合には、キャップＣを閉蓋しておくことによって内容液を保存することができる。
【００１８】
前記実施形態においては、キャップＣを口筒部１に螺合するようにしているが、口筒部１のねじ筒部６に、ねじ７に変え係止突条を設け、キャップＣに内方に膨出する膨出環を設けて、口筒部１にキャップＣを嵌合するようにしてもよい。
【００１９】
【発明の効果】
本発明は、上記のように構成されているから、次の効果を奏する。
キャップ内に混合物収納部を設け、キャップの廻動により、収納部の栓蓋を開くことができるので、簡単な操作によって、混合物を内容液中に容易に混合させることができる。
また、混合物収納部がキャップ内にあるので、混合容器の外観がすっきりしたものとなっている。
【図面の簡単な説明】
【図１】本発明混合容器の分解説明図である。
【図２】混合物収納時のキャップ、中栓の説明図である。
【図３】混合物を収納した混合容器の断面図である。
【図４】混合時の説明図である。
【符号の説明】
Ａ        容器
Ｂ        中栓
Ｂ１      中栓本体
Ｂ２      栓蓋
Ｃ        キャップ
１        口筒部
２        胴部
３        底部
４        係止環
５        縮径部
６        ねじ筒部
７        ねじ
８        環状溝
９        接地端
１０      平底板
１１      外筒
１２      上壁
１３      内筒
１４      係合環
１５      嵌合部
１６      連結片
１７      蓋板
１８      嵌合筒
１９      膨出環
２０      頂壁
２１      外筒
２２      内筒
２３      ねじ
２４      混合物収納部
２５      膨出環
【図１】
2004323097.tif 000003
【図２】
2004323097.tif 000004
【図３】
2004323097.tif 000005
【図４】
2004323097.tif 000006